(57)【要約】【課題】ローラの着脱が容易でかつ適切なパッド圧を維持することが可能な構成を備える媒体処理装置を提供すること。【解決手段】媒体処理装置１は、カード２が搬送される搬送路８と、カード２の表面に当接可能なローラ３１と、ローラ３１と一体で回転する回転軸３２と、回転軸３２の両端側を回転可能に支持する一対の軸受３３と、カード２の幅方向における搬送路８の両側に形成され軸受３３を支持する軸受支持部３４ａと、ローラ３１がカード２の表面に向かう方向にかつ軸受支持部３４ａに向かって軸受３３を押圧する押圧機構３５とを備えている。【選択図】図３
2008105802.tif 000002
【特許請求の範囲】
【請求項１】
カード状媒体が搬送される搬送路と、前記カード状媒体の表面に当接可能なローラと、該ローラと一体で回転する回転軸と、該回転軸の両端側を回転可能に支持する一対の軸受と、前記カード状媒体の幅方向における前記搬送路の両側に形成され前記軸受を支持する軸受支持部と、前記ローラが前記カード状媒体の表面に向かう方向にかつ前記軸受支持部に向かって前記軸受を押圧する押圧機構とを備えることを特徴とする媒体処理装置。
【請求項２】
前記押圧機構は、前記媒体処理装置のフレームに回動可能に保持されるとともに、
前記押圧機構は、前記軸受を押圧した状態で、前記フレームに前記押圧機構をロックするために、前記フレームに係合されるロック部材を備えることを特徴とする請求項１記載の媒体処理装置。
【請求項３】
前記押圧機構は、前記フレームに対する前記押圧機構の回動中心となる中心軸を中心に回動する第１ブラケットおよび第２ブラケットと、前記押圧機構の回動方向で前記第１ブラケットと前記第２ブラケットとを互いに離れる方向に付勢する付勢部材とを備え、
前記第１ブラケットには、前記軸受に当接する当接部が形成され、
前記ロック部材は、前記フレームに係合するためおよび前記フレームとの係合を解除するために、前記中心軸の軸方向へ移動可能に前記第２ブラケットに保持されていることを特徴とする請求項２記載の媒体処理装置。
【請求項４】
前記カード状媒体の幅方向への前記軸受の移動を規制するカード幅方向規制部を備えることを特徴とする請求項１から３記載の媒体処理装置。
【請求項５】
前記カード幅方向規制部は、前記軸受に形成されるとともに前記カード状媒体の幅方向で前記軸受支持部に当接可能な鍔部を備えることを特徴とする請求項４記載の媒体処理装置。
【請求項６】
前記ローラは、搬送中の前記カード状媒体の表面に当接して回転することで、前記カード状媒体の表面の塵埃を除去するクリーニングローラであり、前記軸受は、樹脂で形成された樹脂軸受であることを特徴とする請求項１から５記載の媒体処理装置。
【発明の詳細な説明】
【技術分野】
【０００１】
本発明は、カード状媒体の表面に当接するローラを備える媒体処理装置に関する。
【背景技術】
【０００２】
従来から、カード状媒体に記録を行う記録装置として、カード状媒体の表面に付着した塵埃等を除去するクリーニング用のローラを備える記録装置が知られている（たとえば、特許文献１参照）。この特許文献１に記載の記録装置は、クリーニング用のローラと一体で回転する回転軸と、クリーニング用のローラおよび回転軸を回転自在に支持する箱状の軸支手段とを備えている。
【０００３】
特許文献１に記載の記録装置では、回転軸の一端は、円錐状に形成されている。また、軸支手段の側壁には、回転軸の一端が回動可能に支持される軸受孔が形成されるとともに、回転軸の他端側が上側から挿入される挿入部が側壁の上端から下端側に向かって切り欠かれるように形成されている。挿入部の下端には、回転軸と同一の曲率を有する凹部がカード状媒体の搬送方向に突出するように形成されている。また、軸支手段には、溝型に形成された板バネが固定されている。この板バネは、回転軸に当接する当接部を備え、この当接部は、軸支手段の凹部に向かって搬送方向に回転軸を付勢している。
【０００４】
そして、特許文献１に記載の記録装置では、回転軸の一端を軸受孔に挿入し、回転軸の他端側を板バネの当接部と凹部との間に挿入することで、回転軸およびローラが、軸支手段に回転自在に支持される。また、回転軸の他端側を板バネの当接部と凹部との間から抜き、回転軸の一端を軸受孔から抜くことで、軸支手段から回転軸およびローラが取り外される。なお、特許文献１に記載の記録装置では、軸支手段は、回動中心となる所定の固定軸に回動可能に支持されている。また、軸支手段は、所定にバネによって、クリーニング用のローラの下側に配置されたカード状媒体の搬送ローラに向かって付勢されている。
【０００５】
【特許文献１】特開平１１−２３６１４２号公報
【発明の開示】
【発明が解決しようとする課題】
【０００６】
しかしながら、特許文献１に記載の記録装置では、回転軸の他端側は、板バネの当接部によって軸支手段の凹部に向かって搬送方向に付勢されている。そのため、クリーニング用のローラと搬送ローラとの間で適切なパッド圧を維持すること、および、軸支手段に対してローラを容易に着脱することの両者を両立させることが困難である。
【０００７】
すなわち、板バネの当接部の付勢力が大きいと、クリーニング用のローラが軸支手段にしっかりと保持されるため、搬送ローラとの間で適切なパッド圧を維持することは可能になる。しかしながら、回転軸の他端側を当接部と凹部との間に挿入するために大きな力が必要となり、軸支手段に対するローラを着脱は困難になる。一方で、板バネの当接部の付勢力が小さいと、小さな力でも回転軸の他端側を当接部と凹部との間に挿入することができるため、軸支手段に対するローラを着脱は容易になる。しかしながら、軸支手段によるクリーニング用のローラの保持力が低下するため、搬送ローラとの間で適切なパッド圧を維持することは困難になる。
【０００８】
そこで、本発明の課題は、ローラの着脱が容易でかつ適切なパッド圧を維持することが可能な構成を備える媒体処理装置を提供することにある。
【課題を解決するための手段】
【０００９】
上記の課題を解決するため、本発明の媒体処理装置は、カード状媒体が搬送される搬送路と、カード状媒体の表面に当接可能なローラと、ローラと一体で回転する回転軸と、回転軸の両端側を回転可能に支持する一対の軸受と、カード状媒体の幅方向における搬送路の両側に形成され軸受を支持する軸受支持部と、ローラがカード状媒体の表面に向かう方向にかつ軸受支持部に向かって軸受を押圧する押圧機構とを備えることを特徴とする。
【００１０】
本発明の媒体処理装置では、押圧機構が、ローラと一体で回転する回転軸の両端側に配置される軸受を軸受支持部に向かって押圧している。そのため、押圧機構による押圧力を発生させ、また、押圧力を解除することで、ローラを容易に着脱することが可能になる。また、本発明では、ローラがカード状媒体の表面に向かう方向に軸受を押圧しているため、ローラのパッド圧を容易かつ適切に維持することが可能になる。さらに、本発明では、軸受が軸受支持部に支持されているため、ローラと対向するように他のローラが配置される場合には、ローラ間のローラギャップを適切に維持することも可能になる。
【００１１】
本発明において、押圧機構は、媒体処理装置のフレームに回動可能に保持されるとともに、押圧機構は、軸受を押圧した状態で、フレームに押圧機構をロックするために、フレームに係合されるロック部材を備えることが好ましい。このように構成すると、ロック部材をフレームに係合し、また、ロック部材とフレームとの係合を解除することで、容易に、押圧機構による押圧力を発生させ、また、押圧力を解除することができる。
【００１２】
本発明において、押圧機構は、フレームに対する押圧機構の回動中心となる中心軸を中心に回動する第１ブラケットおよび第２ブラケットと、押圧機構の回動方向で第１ブラケットと第２ブラケットとを互いに離れる方向に付勢する付勢部材とを備え、第１ブラケットには、軸受に当接する当接部が形成され、ロック部材は、フレームに係合するためおよびフレームとの係合を解除するために、中心軸の軸方向へ移動可能に第２ブラケットに保持されていることが好ましい。このように構成すると、ロック部材がフレームに係合されているときには、第１ブラケットと第２ブラケットとを互いに離れる方向に付勢する付勢部材によって、軸受を介して、ローラに適切なパッド圧を発生させることができる。また、第２ブラケットに対してロック部材を中心軸の軸方向へ移動させることで、容易に、ロック部材とフレームとの係合を解除することができる。
【００１３】
本発明において、媒体処理装置は、カード状媒体の幅方向への軸受の移動を規制するカード幅方向規制部を備えることが好ましい。このように構成すると、カード状媒体の幅方向で、軸受を容易に位置決めすることが可能になる。また、カード状媒体の幅方向で、軸受のがたつきを防止することが可能になる。また、この場合には、カード幅方向規制部は、軸受に形成されるとともにカード状媒体の幅方向で軸受支持部に当接可能な鍔部を備えることが好ましい。このように構成すると、軸受に形成された鍔部と軸受支持部とを用いた簡易な構成で、カード状媒体の幅方向において、軸受を位置決めし、また、カード状媒体の幅方向における軸受のがたつきを防止することが可能になる。
【００１４】
本発明において、ローラは、搬送中のカード状媒体の表面に当接して回転することで、カード状媒体の表面の塵埃を除去するクリーニングローラであり、軸受は、樹脂で形成された樹脂軸受であることが好ましい。このように軸受が樹脂軸受であると、軸受を装着したままでクリーニングローラを洗浄しても、軸受が錆びる等の不具合の発生を防止できる。そのため、クリーニングローラの洗浄が容易になる。
【発明の効果】
【００１５】
以上説明したように、本発明にかかる媒体処理装置では、ローラの着脱が容易でかつ適切なパッド圧を維持することが可能になる。
【発明を実施するための最良の形態】
【００１６】
以下、本発明の実施の形態を図面に基づいて説明する。
【００１７】
（媒体処理装置の概略構成）
図１は、本発明の実施の形態にかかるカード印字装置１を一側面側から示す斜視図である。図２は、図１のカード印字装置１の内部構成を側面から説明するための図である。
【００１８】
本形態の媒体処理装置１は、カード状媒体２（以下、カード２とする。）に対して印字を行うカード印字装置である。したがって、以下では、本形態の媒体処理装置１をカード印字装置１と表記する。このカード印字装置１は、帯状のフィルムにインクが塗布されたインクリボン３を使い、加熱によってインクリボン３上のインクを溶融等させてカード２に印字を行う熱転写方式の印字装置である。
【００１９】
本形態のカード印字装置１は、図１、図２に示すように、インクリボン３を加熱してカード２に印字を行うサーマルヘッド４と、インクリボン３の供給および巻取を行うインクリボンカートリッジ５（以下、カートリッジ５とする。）と、印字前のカード２の表面に付着した塵埃等を除去するクリーニング機構６と、サーマルヘッド４、カートリッジ５の一部およびクリーニング機構６等が収納される筐体７とを備えている。また、筐体７の内部には、カード２が搬送される搬送路８が形成されている。この搬送路８には、カード２の搬送を行うための複数のカード搬送ローラ９が配置されている。さらに、カード印字装置１は、装置内でインクリボン３の搬送を行うためのリボン搬送ローラ１０を備えている。また、本形態では、図１の紙面奥側からカード印字装置１へカード２が挿入される。
【００２０】
なお、以下の説明では、図１のＸ方向を「前後方向」、Ｙ方向を「左右方向」、Ｚ方向を「上下方向」とする。また、図１のＸ１方向側を「手前」、Ｘ２方向側を「奥」、Ｙ１方向側を「右」、Ｙ２方向側を「左」、Ｚ１方向側を「上」、Ｚ２方向側を「下」とする。さらに、Ｘ方向とＹ方向とから構成される平面をＸＹ平面、Ｚ方向とＸ方向とから構成される平面をＺＸ平面とする。また、図２における時計方向を「時計方向」、反時計方向を「反時計方向」とする。なお、本形態では、左右方向がカード２の幅方向である。
【００２１】
本形態のカード２は、たとえば、厚さが０．７〜０．８ｍｍ程度の塩化ビニール製のカードである。このカード２の表面には、たとえば、磁気情報が記録される磁気ストライプが形成されている。なお、カード２の表面にＩＣ接点が固定されても良いし、通信用のアンテナがカード２に内蔵されても良い。また、カード２は、厚さが０．１８〜０．３６ｍｍ程度のＰＥＴ（ポリエチレンテレフタレート）カードでも良い。
【００２２】
サーマルヘッド４は、カード印字装置１の前後方向の略中心に、かつ、搬送路８の上側に配置されている。また、サーマルヘッド４の下側をインクリボン３が通過する。本形態では、サーマルヘッド４は、図１、図２に示すように、駆動モータ１２、ウォームギア１３および偏心カム１４等から構成される駆動機構によって、搬送路８に対して（具体的には、前後方向の略中心に配置された搬送ローラ９に対して）上下動する。そして、サーマルヘッド４は、インクリボン３を介してカード２の上面に所定の当接力で当接した状態で、カード２の上面に印字を行う。
【００２３】
カートリッジ５は、図２等に示すように、サーマルヘッド４に向かってインクリボン３を供給するリボン供給部１５と、サーマルヘッド４での印字が終了した後のインクリボン３を巻き取るリボン巻取部１６とを備えている。本形態では、リボン供給部１５がサーマルヘッド４よりも奥側に配置され、リボン巻取部１６がサーマルヘッド４よりも手前側に配置されている。このカートリッジ５は、搬送路８の上方に配置され、筐体７に着脱可能となっている。なお、リボン巻取部１６は、図示を省略する歯車等の伝達手段を介して、リボン搬送ローラ１０を駆動する後述の駆動モータ２８に連結されており、リボン搬送ローラ１０とともに回転する。
【００２４】
クリーニング機構６は、カード印字装置１の奥側端に配置されている。このクリーニング機構６は、カード印字装置１の奥側から挿入され、サーマルヘッド４で印字が行われる前のカード２の上面のクリーニングを行う。クリーニング機構６の詳細な構成については後述する。
【００２５】
筐体７は、上側に配置される第１筐体１７と、下側に配置される第２筐体１８とから構成されている。第１筐体１７の奥側端には、軸１９が固定されており、第１筐体１７は、軸１９を中心に第２筐体１８に対して、図２に示す状態から反時計方向へ回動可能となっている。そして、第１筐体１７が図２に示す状態から反時計方向へ回動すると、筐体７からカートリッジ５を取り出すことが可能になる。なお、図１、図２に示す状態では、筐体７の手前側端に配置されたロック機構２０によって、第１筐体１７は第２筐体１８にロックされている。
【００２６】
搬送路８は、カード印字装置１の前後方向に直線状に、かつ、前後方向でカード印字装置１を貫通するように形成されている。カード搬送ローラ９は、下側から搬送路８に突出するように配置されている。複数のカード搬送ローラ９は、図１に示すように、プーリ２２やタイミングベルト２３等から構成される伝達手段を介して駆動モータ２４に連結され、駆動モータ２４の動力で回転する。また、奥側に配置されるカード搬送ローラ９および前後方向の略中心に配置されるカード搬送ローラ９を除くカード搬送ローラ９の上側には、カード搬送ローラ９に圧接するように、パッドローラ２５が配置されている。
【００２７】
リボン搬送ローラ１０は、搬送路８の上方でかつリボン巻取部１６のよりも奥側に配置されている。このリボン搬送ローラ１０は、図１に示すように、プーリ２６やタイミングベルト２７等から構成される伝達手段を介して駆動モータ２８に連結され、駆動モータ２８の動力で回転する。また、リボン搬送ローラ１０の斜め上側には、リボン搬送ローラ１０に圧接するように、パッドローラ２９が配置されている。
【００２８】
（クリーニング機構の構成）
図３は、図１のカード印字装置１の一部を奥側から示す斜視図である。図４は、図３に示すクリーニング機構６において、クリーニングローラ３１を取り外した状態を示す斜視図である。図５は、図３に示すクリーニング機構６の構成を左側面側から説明するための図である。なお、図５では、第２ブラケット４２の側面部４２ｂおよび圧縮コイルバネ４５等を省略した状態が図示されている。
【００２９】
クリーニング機構６は、図３から図５に示すように、カード２の表面に当接可能なローラとしてのクリーニングローラ３１と、左右方向を軸方向としてクリーニングローラ３１と一体で回転する回転軸３２と、回転軸３２の両端側を回転可能に支持する一対の軸受３３と、搬送路８の底面および側面の一部を構成する搬送ガイド３４に向かって軸受３３を押圧する押圧機構３５とを備えている。また、搬送ガイド３４の左右方向の両端側に形成され、軸受３３が載置される軸受支持部３４ａもクリーニング機構６の一部を構成している。本形態では、クリーニングローラ３１と回転軸３２と一対の軸受３３とによって、ローラ組３０が構成されており、このローラ組３０は、カード印字装置１に対して着脱可能になっている。
【００３０】
クリーニングローラ３１は、回転軸３２の外周面に固定されている。このクリーニングローラ３１は、搬送中のカード２の表面（具体的には、カード２の上面）に当接して回転することで、カード２の表面に付着した塵埃を除去する。クリーニングローラ３１は、たとえば、ゴム等の弾性体で形成されるとともに、その表面は粘着性を有している。本形態のクリーニングローラ３１は、その表面に塵埃等が堆積してクリーニング効率が低下した場合であっても、水やアルコール等を用いた洗浄によって表面の塵埃を除去することで、再利用できるように構成されている。すなわち、本形態では、洗浄回数が所定回数以下であれば、洗浄後であっても、クリーニングローラ３１の表面の粘着力が維持される。
【００３１】
軸受３３は、回転軸３２の軸方向外側に配置される鍔部３３ａを有する鍔付きの円筒状に形成されている。本形態の軸受３３は、樹脂で形成された樹脂軸受である。たとえば、軸受３３は、ＰＯＭ（ポリアセタール）等の摺動性に優れる樹脂で形成されている。また、軸受３３は、Ｅ型止め輪等の固定部材３６（図３では、図示省略）によって、回転軸３２の両端側に取り付けられている。本形態では、軸受３３の内周面に沿って、クリーニングローラ３１および回転軸３２が回転する。
【００３２】
搬送ガイド３４は、樹脂で形成されるとともに、図３に示すように、第２筐体１８の左右方向の両側面をそれぞれ形成する２枚のフレーム３７に固定されている。搬送ガイド３４の奥側端側には、奥側に配置されるカード搬送ローラ９が配置される配置孔３４ｂが形成されている。また、搬送ガイド３４の奥側端かつ右端には、図３に示すように、奥側からカード印字装置１へ挿入されるカード２の検出を行うセンサ３８が固定されるセンサ固定部３４ｃが形成されている。なお、奥側に配置されるカード搬送ローラ９の回転軸２１の両端側は、２枚のフレーム３７にそれぞれ固定された軸受（図示省略）に回動可能に支持されている。
【００３３】
軸受支持部３４ａは、上述のように、搬送ガイド３４の左右方向の両端側に形成されている。すなわち、軸受支持部３４ａは、搬送路８の左右方向の両端に形成されている。具体的には、軸受支持部３４ａは、左右方向における配置孔３４ｂの外側に、かつ、上側に向かって突出するように形成されている。この軸受支持部３４ａには、下側に向かって窪む凹部３４ｄが形成されている。凹部３４ｄは、ＸＹ平面に水平な水平面３４ｅと、軸受３３の外径に相当する曲率で形成され水平面３４ｅの手前側に配置される曲面３４ｆとから構成されている。
【００３４】
本形態では、後述のように、水平面３４ｅに軸受３３が当接することで、上下方向でクリーニングローラ３１が位置決めされる。また、後述のように、一対の軸受３３の鍔部３３ａのそれぞれが、軸受支持部３４ａの左右方向外側に配置されることで、軸受３３の左右方向の移動が規制される。すなわち、本形態では、鍔部３３ａと軸受支持部３４ａとによって、左右方向（すなわち、カード２の幅方向）への軸受３３の移動を規制するカード幅方向規制部が構成されている。
【００３５】
さらに、水平面３４ｅの奥側に形成される突起部３４ｇと曲面３４ｆとによって、後述のように、カード印字装置１にローラ組３０を取り付ける際に、前後方向（すなわち、カード２の搬送方向）で、ローラ組３０の移動量を規制する搬送方向規制部が構成されている。具体的には、後述のように、カード印字装置１の奥側から軸受支持部３４ａに載置されるローラ組３０の手前側への転がりが曲面３４ｆによって規制され、また、ローラ組３０の奥側への転がりが突起部３４ｇによって規制される。
【００３６】
押圧機構３５は、２枚のフレーム３７に対して回動可能に構成されている。この押圧機構３５は、２枚のフレーム３７に両端がそれぞれ固定され押圧機構３５の回動中心となる中心軸としての固定軸４０と、固定軸４０を中心に回動する第１ブラケット４１および第２ブラケット４２と、押圧機構３５の回動方向で第１ブラケット４１と第２ブラケット４２と互いに離れる方向に付勢する付勢部材としての圧縮コイルバネ４３と、押圧機構３５をフレーム３７にロックするためのロック部材としてのロックレバー４４と、ロックレバー４４を右方向に向かって付勢する圧縮コイルバネ４５とを備えている。
【００３７】
第１ブラケット４１は、左右方向から見た形状が略溝型に形成され圧縮コイルバネ４３が配置されるバネ配置部４１ａ（図５参照）と、バネ配置部４１ａの左右方向両端のそれぞれから下側に向かってＺＸ平面と平行に形成された２枚の側面部４１ｂとを備えている。
【００３８】
側面部４１ｂの手前端側には、図５に示すように、固定軸４０が挿通されている。また、側面部４１ｂの下端側には、軸受３３に当接する当接部４１ｃが形成されている。本形態では、図４に示すように、当接部４１ｃには、側面部４１ｂの下端から上方向に向かって窪む略Ｕ形状の凹部４１ｄが形成されている。そして、カード印字装置１にローラ組３０が取り付けられているときには、軸受支持部３４ａに載置された軸受３３はこの凹部４１ｄに配置されるとともに、凹部４１ｄの上面部分が上側から軸受３３に当接する。
【００３９】
第２ブラケット４２は、圧縮コイルバネ４３の上端が当接する平板状のバネ当接部４２ａと、バネ当接部４２ａの左右方向両端のそれぞれから下側に向かってＺＸ平面と平行に形成された２枚の側面部４２ｂと、バネ当接部４２ａの奥側端から下側に向かってバネ当接部４２ａと直角に形成され、後述のガイド軸４６が固定される軸固定部４２ｃ（図５参照）を備えている。
【００４０】
側面部４２ｂの手前端側には固定軸４０が挿通されている。また、左端側（図３、図４では、右端側）に形成される側面部４２ｂには、圧縮コイルバネ４５の左端が当接するバネ当接部４２ｄが奥側に突出するように形成されている。軸固定部４２ｃには、ロックレバー４４を左右方向へ移動可能に保持するための２本のガイド軸４６が軸固定部４２ｃから奥側に突出するように固定されている。
【００４１】
図５に示すように、バネ配置部４１ａの底面部分とバネ当接部４２ａとが対向するように、かつ、図４に示すように、２枚の側面部４２ｂの左右方向の内側に２枚の側面部４１ｂが配置されるように、固定軸４０は、第１ブラケット４１および第２ブラケット４２のそれぞれに挿通されている。また、圧縮コイルバネ４３は、バネ配置部４１ａの底面部分とバネ当接部４２ａとの間に配置され、第１ブラケット４１を反時計方向に付勢するとともに、第２ブラケット４２を時計方向に付勢している。本形態では、左右方向に所定の間隔をあけた状態で、２個の圧縮コイルバネ４３が配置されている。なお、バネ当接部４２ａには、図示を省略する位置決め突起が下方向に突出するように形成されている。また、圧縮コイルバネ４３に代えて、板バネ等の他の付勢部材を用いても良い。
【００４２】
ロックレバー４４は、右側に配置されるフレーム３７に形成された矩形状の係合孔３７ａ（図３参照）に係合される係合部４４ａと、押圧機構３５をフレーム３７にロックし、また、フレーム３７に対する押圧機構３５のロックを解除するためのつまみ部４４ｂと、圧縮コイルバネ４５の右端を保持するバネ保持部４４ｃとを備え、略平板状に形成されている。また、ロックレバー４４には、２本のガイド軸４６がそれぞれ挿通される挿通孔４４ｄが形成されている。
【００４３】
係合部４４ａは、右端部が上方向に曲がった鉤状に形成されるとともに、ロックレバー４４の右端から右方向に突出するように形成されている。つまみ部４４ｂは、左右方向におけるロックレバー４４の略中心部分にかつ奥側へ突出するように形成されている。バネ保持部４４ｃは、２個の凹部の間に形成され圧縮コイルバネ４５の内径側が挿入される突起部４４ｅ（図３参照）を備え、ロックレバー４４の左端に形成されている。挿通孔４４ｄは、ロックレバー４４を前後方向に貫通するように、かつ、左右方向に長い長穴状に形成されている。また、挿通孔４４ｄの上下方向の高さはガイド軸４６の径よりもわずかに大きく形成されている。なお、係合部４４ａは、必ずしも鉤状に形成されている必要はなく、ロックレバー４４の右端から右方向に突出するような矩形状に形成されても良い。
【００４４】
ロックレバー４４は、挿通孔４４ｄにガイド軸４６が挿通された状態で、Ｅ型止め輪等の固定部材４７によって、第２ブラケット４２の奥側に、かつ、左右方向に移動可能に取り付けられている。圧縮コイルバネ４５は、右端側が突起部４４ｅに挿入され、左端が第２ブラケット４２のバネ当接部４２ｄに当接した状態で配置され、第２ブラケット４２に対してロックレバー４４を右方向へ付勢している。なお、上述のように、挿通孔４４ｄの上下方向の高さはガイド軸４６の径よりもわずかに大きく形成されているため、ロックレバー４４は、第２ブラケット４２に対して上下方向ではほとんど移動しない。また、圧縮コイルバネ４５に代えて、板バネ等の他の付勢部材を用いても良い。
【００４５】
以上の構成を備えるクリーニング機構６では、カード印字装置１にローラ組３０が取り付けられているときには、図３に示すように、軸受支持部３４ａに軸受３３が載置された状態で、ロックレバー４４の係合部４４ａがフレーム３７に形成された係合孔３７ａに係合されている。このとき、軸受３３は、第１ブラケット４１に形成された凹部４１ｄの上面部分によって押圧されている。具体的には、軸受３３は、軸受支持部３４ａに形成された凹部３４ｄの水平面３４ｅに向かって押圧されている。すなわち、このときには、クリーニングローラ３１は、カード２の上面に向かう方向（すなわち、下方向）に押圧されている。
【００４６】
また、カード印字装置１にローラ組３０が取り付けられているときには、軸受３３が凹部３４ｄの水平面３４ｅに当接することで、上下方向において、クリーニングローラ３１が位置決めされる。このときには、奥側に配置されるカード搬送ローラ９とクリーニングローラ３１とが対向しており、カード搬送ローラ９とクリーニングローラ３１との間には、カード２の厚さよりも小さな所定のローラギャップが形成されている。なお、このときに、カード搬送ローラ９とクリーニングローラ３１とが当接していても良い。
【００４７】
また、一対の軸受３３の鍔部３３ａのそれぞれが、軸受支持部３４ａの左右方向外側に配置されることで、左右方向への軸受３３の移動が規制されている。すなわち、一対の軸受３３の鍔部３３ａのそれぞれが、軸受支持部３４ａの左右方向外側に配置されることで、左右方向において、クリーニングローラ３１が位置決めされる。さらに、第１ブラケット４１の凹部４１ｄに軸受３３が配置されることで、前後方向において、クリーニングローラ３１が位置決めされる。
【００４８】
さらに、カード印字装置１にローラ組３０が取り付けられているときには、ロックレバー４４は、圧縮コイルバネ４３の付勢力によって上方向に付勢されるとともに、圧縮コイルバネ４５の付勢力で右方向に付勢されている。そのため、係合部４４ａが係合孔３７ａに係合した状態が確実に維持される。
【００４９】
このように、カード印字装置１にローラ組３０が取り付けられた状態で、奥側からカード印字装置１へカード２が挿入され、カード搬送ローラ９とクリーニングローラ３１との対向部分にカード２が到達すると、クリーニングローラ３１は、所定の当接力（パッド圧）でカード２の上面に当接して、カード２の搬送に伴って回転する。このクリーニングローラ３１の回転によって、カード２の上面に付着した塵埃等の異物が除去される。
【００５０】
また、クリーニング機構６では、上述のように、カード印字装置１に対するローラ組３０の着脱が可能になっている。すなわち、カード印字装置１からローラ組３０を取り外すときには、まず、図３に示す状態において、ユーザがつまみ部４４ｂを掴んで、下方向および左方向へ順次ロックレバー４４を移動させて、係合部４４ａと係合孔３７ａとの係合を解除する。そして、固定軸４０を中心に、第１ブラケット４１、第２ブラケット４２およびロックレバー４４等を時計方向に回動させた後、ローラ組３０を取り出す。
【００５１】
一方、カード印字装置１にローラ組３０を取り付けるときには、まず、カード印字装置１の奥側から軸受支持部３４ａに軸受３３を載置する。このときには、曲面３４ｆによってローラ組３０の手前側への転がりが規制され、突起部３４ｇによってローラ組３０の奥側への転がりが規制される。その後、固定軸４０を中心に、第１ブラケット４１、第２ブラケット４２およびロックレバー４４等を反時計方向に回動させる。その後、右方向へロックレバー４４を移動させて、係合部４４ａと係合孔３７ａとを係合させる。
【００５２】
なお、本形態では、取り外されたローラ組３０は、ローラ組３０の状態のままで、水やアルコール等を用いて洗浄される。
【００５３】
（本形態の主な効果）
以上説明したように、本形態のカード印字装置１では、押圧機構３５によって、軸受３３を軸受支持部３４ａに向かって押圧している。そのため、押圧機構３５によって押圧力を発生させ、また、この押圧機構３５の押圧力を解除することで、ローラ組３０を（すなわち、クリーニングローラ３１を）カード印字装置１に容易に着脱することができる。特に、本形態では、押圧機構３５は、フレーム３７に回動可能に保持され、かつ、ロックレバー４４によってフレーム３７にロックされる。そのため、押圧機構３５によって、容易に、押圧力を発生させ、また、容易に押圧力を解除することができる。さらに、本形態では、ロックレバー４４は、左右方向へ移動可能に第２ブラケット４２に保持されているため、ロックレバー４４を容易にフレーム３７に係合させ、また、ロックレバー４４とフレーム３７との係合を容易に解除できる。
【００５４】
本形態では、押圧機構３５によって、クリーニングローラ３１が、カード２の上面に向かう方向に押圧されている。そのため、特許文献１に記載された従来の構成と比較して、カード２に対するクリーニングローラ３１のパッド圧を容易かつ適切に維持することができる。また、本形態では、押圧機構３５で押圧される軸受３３が、フレーム３７に固定された搬送ガイド３４の軸受支持部３４ａに支持されている。そのため、フレーム３７に固定された軸受（図示省略）に回動可能に支持されたカード搬送ローラ９と、クリーニングローラ３１とのローラギャップを適切に維持できる。
【００５５】
本形態では、固定軸４０を中心に回動する第１ブラケット４１および第２ブラケット４２は、圧縮コイルバネ４３によって、押圧機構３５の回動方向で互いに離れる方向に付勢されている。また、第２ブラケット４２に対して上下方向にほとんど移動しないように、第２ブラケット４２にロックレバー４４が取り付けられ、かつ、軸受３３は、第１ブラケット４１に形成された当接部４１ｃに当接した状態で押圧されている。そのため、カード印字装置１にローラ組３０が取り付けられているときには、圧縮コイルバネ４３の付勢力によって、軸受３３を介して、クリーニングローラ３１に適切なパッド圧を発生させることができる。
【００５６】
本形態では、一対の軸受３３はそれぞれ、左右方向で軸受支持部３４ａに当接可能な鍔部３３ａを備え、鍔部３３ａはそれぞれ軸受支持部３４ａの左右方向外側に配置されている。そのため、左右方向で、軸受支持部３４ａに対して軸受３３を容易に位置決めできる。また、左右方向で、軸受支持部３４ａに対する軸受３３のがたつきを防止することができる。
【００５７】
本形態では、軸受３３は、樹脂で形成された樹脂軸受である。そのため、軸受３３が回転軸３２に装着されたローラ組３０の状態のままでクリーニングローラ３１の洗浄を行うことができる。そのため、クリーニングローラ３１の洗浄が容易になる。
【００５８】
（他の実施の形態）
上述した形態は、本発明の好適な形態の一例ではあるが、これに限定されるものではなく本発明の要旨を変更しない範囲において種々変形実施が可能である。たとえば、上述した形態では、クリーニングローラ３１を備えるクリーニング機構６を例に本発明の実施の形態を説明しているが、上述した形態の構成を、クリーニング機構６以外の各種の機構に適用することも可能である。すなわち、クリーニングローラ３１以外のメンテナンスや交換等が必要となるローラを備える各種の機構に、上述した形態の構成を適用できる。たとえば、メンテナンスや交換等が必要となるカード搬送ローラを備えるカード搬送機構に、上述した形態の構成を適用できる。
【００５９】
また、上述した形態の構成を、カード印字装置１以外の媒体処理装置に適用することも可能である。たとえば、メンテナンスや交換等が必要となるローラを備えるカードリーダやカード発行装置等のカード印字装置１以外の媒体処理装置に、上述した形態の構成を適用しても良い。
【００６０】
上述した形態では、軸受３３は樹脂軸受であるが、軸受３３は金属で形成された金属製の軸受であっても良い。たとえば、軸受３３は金属製のボールを備えるボールベアリング等であっても良い。
【００６１】
上述した形態では、鍔部３３ａと軸受支持部３４ａとによって、左右方向への軸受３３の移動を規制するカード幅方向規制部が構成されている。この他にもたとえば、鍔部を有しない軸受と、搬送ガイド３４に形成され、軸受が配置される溝部とから左右方向への軸受３３の移動を規制するカード幅方向規制部が構成されても良い。
【図面の簡単な説明】
【００６２】
【図１】本発明の実施の形態にかかるカード印字装置を一側面側から示す斜視図である。
【図２】図１のカード印字装置の内部構成を側面から説明するための図である。
【図３】図１のカード印字装置の一部を奥側から示す斜視図である。
【図４】図３に示すクリーニング機構において、クリーニングローラを取り外した状態を示す斜視図である。
【図５】図３に示すクリーニング機構の構成を左側面側から説明するための図である。
【符号の説明】
【００６３】
１  カード印字装置（媒体処理装置）
２  カード（カード状媒体）
８  搬送路
３１  クリーニングローラ（ローラ）
３２  回転軸
３３  軸受
３３ａ  鍔部（カード幅方向規制部の一部）
３４  搬送ガイド
３４ａ  軸受支持部（カード幅方向規制部の一部）
３５  押圧機構
４０  固定軸（中心軸）
４１  第１ブラケット
４１ｃ  当接部
４２  第２ブラケット
４３  圧縮コイルバネ（付勢部材）
４４  ロックレバー（ロック部材）
Ｙ  左右方向（幅方向）
【図１】
2008105802.tif 000003
【図２】
2008105802.tif 000004
【図３】
2008105802.tif 000005
【図４】
2008105802.tif 000006
【図５】
2008105802.tif 000007